(57)【要約】【課題】放射線に被ばくした汚染区域又は放射線を使用する使用区域を模擬しつつ、模擬したそれら区域における放射線の疑似被ばくを体験させることができ疑似被ばく体験システムを提供する。【解決手段】疑似被ばく体験システム１０Ａは、ＬＥＤ照明１２（光源）から被ばく模擬エリア１１に光を照射し、被ばく模擬エリア１１において体験者に所定の作業をさせつつ、ＬＥＤ照明１２から体験者が受ける光の照度を体験者の所定の箇所に取り付けられた照度計１３で測定し、照度計１３が測定した照度を放射線源から放射された線量と擬制することで、体験者に放射線疑似被ばくを体験させる。【選択図】図１
2020184043.tif 000002
【特許請求の範囲】
【請求項１】
放射線に被ばくした汚染区域又は前記放射線を使用する使用区域と仮定した被ばく模擬エリアと、前記被ばく模擬エリアに設置されて前記放射線を放射する放射線源と仮定する光源と、体験者の所定の箇所に取り付けられて前記光源から照射された光の照度を測定する照度計とから形成され、
前記光源から前記被ばく模擬エリアに光を照射し、前記被ばく模擬エリアにおいて前記体験者に所定の作業をさせつつ、前記光源から前記体験者が受ける光の照度を該体験者の所定の箇所に取り付けられた照度計で測定し、前記照度計が測定した照度を前記放射線源から放射された線量と擬制することで、前記体験者に放射線疑似被ばくを体験させることを特徴とする疑似被ばく体験システム。
【請求項２】
前記疑似被ばく体験システムでは、前記照度計が測定した前記体験者が受ける光の照度（ｌｘ）を被ばく量（ｍＳｖ）に置き換える請求項１に記載の疑似被ばく体験システム。
【請求項３】
前記疑似被ばく体験システムでは、前記照度計が測定した前記体験者に照射された光の照度を微分することで、該体験者に放射された放射線の被ばく線量率（ｍＳｖ／ｈ）を算出し、前記照度計が測定した前記体験者に照射された光の照度を積分することで、該体験者に放射された放射線の被ばく線量（ｍＳｖ）を算出する請求項２に記載の疑似被ばく体験システム。
【請求項４】
前記疑似被ばく体験システムが、前記体験者の所定の箇所に取り付けられて前記被ばく模擬エリアを撮影するカメラと、前記カメラによって撮影された前記被ばく模擬エリアの画像を出力する出力装置とを含み、前記出力装置には、前記被ばく模擬エリアの画像とともに前記被ばく線量率（ｍＳｖ／ｈ）と前記被ばく線量（ｍＳｖ）とのうちの少なくとも一方が出力される請求項３に記載の疑似被ばく体験システム。
【請求項５】
前記カメラが、前記体験者の頭部と胸部とのうちの少なくとも一方に取り付けられ、前記出力装置には、前記カメラによって撮影されて前記体験者の頭部と胸部とのうちの少なくとも一方から見た前記模擬エリアの画像が出力される請求項４に記載の疑似被ばく体験システム。
【請求項６】
前記出力装置には、前記被ばく模擬エリアにおける前記体験者の作業時間と、前記被ばく模擬エリアにおける被ばく限度値と、前記被ばく模擬エリアにおける前記被ばく線量率（ｍＳｖ／ｈ）の作業時間による線量率変化と、前記被ばく模擬エリアにおける前記被ばく線量（ｍＳｖ）の作業時間による線量変化とが出力される請求項５に記載の疑似被ばく体験システム。
【請求項７】
前記疑似被ばく体験システムが、所定の音を発音する音発生装置を含み、前記疑似被ばく体験システムでは、前記被ばく模擬エリアにおける前記体験者の作業中に該体験者に放射された放射線の被ばく線量（ｍＳｖ）が前記被ばく限度値を超えた場合、前記音発生装置が所定のアラーム又は所定のメッセージを発音する請求項６に記載の疑似被ばく体験システム。
【請求項８】
前記疑似被ばく体験システムが、前記光源から前記体験者に照射される光の照度を弱める半透明のフィルム又は半透明の板材を含み、前記疑似被ばく体験システムでは、前記半透明のフィルム又は半透明の板材を前記放射線源から放射された放射線を遮蔽する遮蔽材と仮定する請求項１ないし請求項７いずれかに記載の疑似被ばく体験システム。
【請求項９】
前記出力装置には、前記半透明のフィルム又は半透明の板材を使用しないときの前記被ばく線量率（ｍＳｖ／ｈ）と前記被ばく線量（ｍＳｖ）とのうちの少なくとも一方と、前記半透明のフィルム又は半透明の板材を使用したときの前記被ばく線量率（ｍＳｖ／ｈ）と前記被ばく線量（ｍＳｖ）とのうちの少なくとも一方とが出力される請求項８に記載の疑似被ばく体験システム。
【請求項１０】
前記疑似被ばく体験システムが、前記光源から前記体験者までの離間距離を測定する距離計を含み、前記出力装置には、前記距離計によって測定された前記離間距離が出力される請求項５ないし請求項９いずれかに記載の疑似被ばく体験システム。
【発明の詳細な説明】
【技術分野】
【０００１】
本発明は、体験者に放射線疑似被ばくを体験させる疑似被ばく体験システムに関する。
【背景技術】
【０００２】
利用者に設定された刺激強度に基づいてその利用者に提示する疑似体験を構成するシーンを選択する選択部と、選択部が選択したシーンを利用者に提示する提示部と、利用者の生体情報を計測する計測装置が計測した生体情報を取得する生体情報取得部と、生体情報取得部が取得した生体情報に基づいて刺激強度を再設定する強度調整部とを備え、選択部が、強度調整部によって刺激強度が再設定された場合、再設定後の刺激強度に基づいて利用者に提示する疑似体験を構成するシーンを選択する疑似体験提供装置が開示されている（特許文献１参照）。
【先行技術文献】
【特許文献】
【０００３】
【特許文献１】特開２０１８−４４９７７号公報
【発明の概要】
【発明が解決しようとする課題】
【０００４】
前記特許文献１に開示の疑似体験提供装置は、バーチャルリアリティを用いた訓練効果を安定化させ、疑似体験による訓練効果を実感することができるが、放射線に被ばくした汚染区域を模擬することはできず、汚染区域における放射線の疑似被ばくを体験させることはできない。放射線は目視することができず、人間の五感で感知することはできないものであり、被ばくによって痛みを伴うことはない。放射線に被ばくした汚染区域での作業や放射線を使用する使用区域での作業では、放射線被ばくによるリスクを最小にすることを目標として更なる放射線被ばくの低減を目ざし、様々な方策が実施されている。しかし、それら区域での被ばく量は、作業の方法や作業時間、線源からの離間距離、モックアップの有無等により大きく増減する。そのため被ばく低減の４原則「時間・遮蔽、離間距離・線源の移動」に基づいて被ばく低減教育が随時実施されているが、知識の蓄積の域を出ず、実効性に乏しいのが現実である。
【０００５】
本発明の目的は、放射線に被ばくした汚染区域又は放射線を使用する使用区域を模擬しつつ、模擬したそれら区域における放射線の疑似被ばくを体験させることができ、被ばくを実感させることができる疑似被ばく体験システムを提供することにある。本発明の他の目的は、放射線の疑似被ばくを体験させることで、放射線被ばくを各体験者の身体に覚えさせることができ、放射線被ばくの低減を各体験者が確実に訓練することができるとともに、実体験に基づいて被ばく低減の４原則「時間・遮蔽、離間距離・線源の移動」を体験者に意識付けすることができる疑似被ばく体験システムを提供することにある。
【課題を解決するための手段】
【０００６】
前記課題を解決するための本発明の疑似被ばく体験システムは、放射線に被ばくした汚染区域又は放射線を使用する使用区域と仮定した被ばく模擬エリアと、被ばく模擬エリアに設置されて放射線を放射する放射線源と仮定する光源と、体験者の所定の箇所に取り付けられて光源から照射された光の照度を測定する照度計とから形成され、光源から被ばく模擬エリアに光を照射し、被ばく模擬エリアにおいて体験者に所定の作業をさせつつ、光源から体験者が受ける光の照度を体験者の所定の箇所に取り付けられた照度計で測定し、照度計が測定した照度を放射線源から放射された線量と擬制することで、体験者に放射線疑似被ばくを体験させることを特徴とする。
【０００７】
本発明の疑似被ばく体験システムの一例として、疑似被ばく体験システムでは、照度計が測定した体験者が受ける光の照度（ｌｘ）を被ばく量（ｍＳｖ）に置き換える。
【０００８】
本発明の疑似被ばく体験システムの他の一例として、疑似被ばく体験システムでは、照度計が測定した体験者に照射された光の照度を微分することで、体験者に放射された放射線の被ばく線量率（ｍＳｖ／ｈ）を算出し、照度計が測定した体験者に照射された光の照度を積分することで、体験者に放射された放射線の被ばく線量（ｍＳｖ）を算出する。
【０００９】
本発明の疑似被ばく体験システムの他の一例としては、疑似被ばく体験システムが、体験者の所定の箇所に取り付けられて被ばく模擬エリアを撮影するカメラと、カメラによって撮影された被ばく模擬エリアの画像を出力する出力装置とを含み、出力装置には、被ばく模擬エリアの画像とともに被ばく線量率（ｍＳｖ／ｈ）と前記被ばく線量（ｍＳｖ）とのうちの少なくとも一方が出力される。
【００１０】
本発明の疑似被ばく体験システムの他の一例としては、カメラが、体験者の頭部と胸部とのうちの少なくとも一方に取り付けられ、出力装置には、カメラによって撮影されて体験者の頭部と胸部とのうちの少なくとも一方から見た模擬エリアの画像が出力される。
【００１１】
本発明の疑似被ばく体験システムの他の一例として、出力装置には、被ばく模擬エリアにおける体験者の作業時間と、被ばく模擬エリアにおける被ばく限度値と、被ばく模擬エリアにおける被ばく線量率（ｍＳｖ／ｈ）の作業時間による線量率変化と、被ばく模擬エリアにおける被ばく線量（ｍＳｖ）の作業時間による線量変化とが出力される。
【００１２】
本発明の疑似被ばく体験システムの他の一例としては、疑似被ばく体験システムが、所定の音を発音する音発生装置を含み、疑似被ばく体験システムでは、被ばく模擬エリアにおける体験者の作業中に体験者に放射された放射線の被ばく線量（ｍＳｖ）が被ばく限度値を超えた場合、音発生装置が所定のアラーム又は所定のメッセージを発音する。
【００１３】
本発明の疑似被ばく体験システムの他の一例としては、疑似被ばく体験システムが、光源から体験者に照射される光の照度を弱める半透明のフィルム又は半透明の板材を含み、疑似被ばく体験システムでは、半透明のフィルム又は半透明の板材を放射線源から放射された放射線を遮蔽する遮蔽材と仮定する。
【００１４】
本発明の疑似被ばく体験システムの他の一例として、出力装置には、半透明のフィルム又は半透明の板材を使用しないときの被ばく線量率（ｍＳｖ／ｈ）と被ばく線量（ｍＳｖ）とのうちの少なくとも一方と、半透明のフィルム又は半透明の板材を使用したときの被ばく線量率（ｍＳｖ／ｈ）と被ばく線量（ｍＳｖ）とのうちの少なくとも一方とが出力される。
【００１５】
本発明の疑似被ばく体験システムの他の一例としては、疑似被ばく体験システムが、光源から体験者までの離間距離を測定する距離計を含み、出力装置には、距離計によって測定された離間距離が出力される。
【発明の効果】
【００１６】
本発明に係る疑似被ばく体験システムによれば、光源から被ばく模擬エリアに光を照射し、被ばく模擬エリアにおいて体験者に所定の作業をさせつつ、光源から体験者が受ける光の照度を体験者の所定の箇所に取り付けられた照度計で測定し、照度計が測定した照度を放射線源から放射された線量と擬制することで、体験者に放射線疑似被ばくを体験させるから、放射線に被ばくした汚染区域又は放射線を使用する使用区域を被ばく模擬エリアとして模擬しつつ、模擬した被ばく模擬エリア（汚染区域や使用区域）における放射線の疑似被ばくを体験させることができ、各体験者に放射線被ばくを実感させることができる。疑似被ばく体験システムは、被ばく模擬エリアにおいて放射線の疑似被ばくを体験させることで、放射線被ばくを各体験者の身体に覚えさせることができ、放射線被ばくの低減の方法を各体験者が確実に訓練することができるとともに、実体験に基づいて被ばく低減の４原則「時間・遮蔽、離間距離・線源の移動」を体験者に意識付けすることができる。
【００１７】
照度計が測定した体験者が受ける光の照度（ｌｘ）を被ばく量（ｍＳｖ）に置き換える疑似被ばく体験システムは、光の照度（ｌｘ）を被ばく量（ｍＳｖ）に置き換え、光の照度（ｌｘ）を被ばく量（ｍＳｖ）と仮定することで、体験者が現実に受けている光が被ばく量となり、各体験者に放射線の疑似被ばくを体験させることができ、各体験者に放射線被ばくを確実に実感させることができる。疑似被ばく体験システムは、被ばく模擬エリアにおいて放射線の疑似被ばくを各体験者に実感させることで、放射線被ばくを各体験者の身体に覚えさせることができ、放射線被ばくの低減の方法を各体験者が確実に訓練することができるとともに、実体験に基づいて被ばく低減の４原則「時間・遮蔽、離間距離・線源の移動」を体験者に意識付けすることができる。
【００１８】
照度計が測定した体験者に照射された光の照度を微分することで、体験者に放射された放射線の被ばく線量率（ｍＳｖ／ｈ）を算出し、照度計が測定した体験者に照射された光の照度を積分することで、体験者に放射された放射線の被ばく線量（ｍＳｖ）を算出する疑似被ばく体験システムは、放射線の被ばく線量率（ｍＳｖ／ｈ）及び放射線の被ばく線量（ｍＳｖ）を算出することで、各体験者が被ばく模擬エリアにおいて被ばくした被ばく線量率（ｍＳｖ／ｈ）や被ばく線量（ｍＳｖ）を知ることができ、各体験者に放射線被ばくを確実に実感させることができる。疑似被ばく体験システムは、被ばく模擬エリアにおける被ばく線量率（ｍＳｖ／ｈ）や被ばく線量（ｍＳｖ）を知ることで、各体験者に放射線の疑似被ばくを確実に実感させることができるから、放射線被ばくを各体験者の身体に覚えさせることができ、放射線被ばくの低減の方法を各体験者が確実に訓練することができるとともに、実体験に基づいて被ばく低減の４原則「時間・遮蔽、離間距離・線源の移動」を体験者に意識付けすることができる。
【００１９】
体験者の所定の箇所に取り付けられて被ばく模擬エリアを撮影するカメラと、カメラによって撮影された被ばく模擬エリアの画像を出力する出力装置とを含み、被ばく模擬エリアの画像とともに被ばく線量率（ｍＳｖ／ｈ）と被ばく線量（ｍＳｖ）とのうちの少なくとも一方が出力装置に出力される疑似被ばく体験システムは、カメラによって撮影された被ばく模擬エリアの画像とともに被ばく線量率（ｍＳｖ／ｈ）と被ばく線量（ｍＳｖ）とのうちの少なくとも一方を出力装置に出力（表示）することで、各体験者が被ばく模擬エリアを視認しつつ被ばくした被ばく線量率（ｍＳｖ／ｈ）や被ばく線量（ｍＳｖ）を知ることができ、各体験者に放射線被ばくを確実に実感させることができる。疑似被ばく体験システムは、各体験者が被ばく模擬エリアの画像を視認しつつ被ばく線量率（ｍＳｖ／ｈ）や被ばく線量（ｍＳｖ）を知ることで、各体験者に放射線の疑似被ばくを確実に実感させることができるから、放射線被ばくを各体験者の身体に覚えさせることができ、放射線被ばくの低減の方法を各体験者が確実に訓練することができるとともに、実体験に基づいて被ばく低減の４原則「時間・遮蔽、離間距離・線源の移動」を体験者に意識付けすることができる。
【００２０】
カメラが体験者の頭部と胸部とのうちの少なくとも一方に取り付けられ、カメラによって撮影されて体験者の頭部と胸部とのうちの少なくとも一方から見た模擬エリアの画像が出力装置に出力される疑似被ばく体験システムは、体験者の頭部と胸部とのうちの少なくとも一方から見た被ばく模擬エリアの画像とともに被ばく線量率（ｍＳｖ／ｈ）と被ばく線量（ｍＳｖ）とのうちの少なくとも一方を出力装置に出力（表示）することで、各体験者がその頭部と胸部とのうちの少なくとも一方から見た被ばく模擬エリアを視認しつつ被ばくした被ばく線量率（ｍＳｖ／ｈ）や被ばく線量（ｍＳｖ）を知ることができ、各体験者に放射線被ばくを確実に実感させることができる。疑似被ばく体験システムは、各体験者がその頭部と胸部とのうちの少なくとも一方から見た被ばく模擬エリアの画像を視認しつつ被ばく線量率（ｍＳｖ／ｈ）や被ばく線量（ｍＳｖ）を知ることで、各体験者に放射線の疑似被ばくを確実に実感させることができるから、放射線被ばくを各体験者の身体に覚えさせることができ、放射線被ばくの低減の方法を各体験者が確実に訓練することができるとともに、実体験に基づいて被ばく低減の４原則「時間・遮蔽、離間距離・線源の移動」を体験者に意識付けすることができる。
【００２１】
被ばく模擬エリアにおける体験者の作業時間と、被ばく模擬エリアにおける被ばく限度値と、被ばく模擬エリアにおける被ばく線量率（ｍＳｖ／ｈ）の作業時間による線量率変化と、被ばく模擬エリアにおける被ばく線量（ｍＳｖ）の作業時間による線量変化とが出力装置に出力される疑似被ばく体験システムは、被ばく模擬エリアにおける体験者の作業時間や被ばく限度値、被ばく線量率（ｍＳｖ／ｈ）の作業時間による線量率変化、被ばく模擬エリアにおける被ばく線量（ｍＳｖ）の作業時間による線量変化を出力（表示）することで、時間の経過とともに変化する被ばく線量率（ｍＳｖ／ｈ）の線量変化や被ばく線量（ｍＳｖ）の線量変化を時系列に知ることができ、時間の経過とともに変化する放射線被ばくを各体験者に確実に実感させることができる。疑似被ばく体験システムは、時間の経過とともに変化する被ばく線量率（ｍＳｖ／ｈ）の線量変化や被ばく線量（ｍＳｖ）の線量変化を時系列に知ることで、時間の経過とともに変化する放射線被ばくを各体験者に確実に実感させることができるから、放射線被ばくを各体験者の身体に覚えさせることができ、放射線被ばくの低減の方法を各体験者が確実に訓練することができるとともに、実体験に基づいて被ばく低減の４原則「時間・遮蔽、離間距離・線源の移動」を体験者に意識付けすることができる。
【００２２】
所定の音を発音する音発生装置を含み、被ばく模擬エリアにおける体験者の作業中に体験者に放射された放射線の被ばく線量（ｍＳｖ）が被ばく限度値を超えた場合、音発生装置が所定のアラーム又は所定のメッセージを発音する疑似被ばく体験システムは、放射線の被ばく線量（ｍＳｖ）が被ばく限度値に達した場合、音発生装置によってアラーム又はメッセージが発音されるから、放射線の被ばく線量（ｍＳｖ）が被ばく限度値に達するまでの大凡の時間を知ることができ、その時間内に実施することが可能な作業内容や作業手順を知ることができるとともに、その時間内に所定の作業を実施することができるように訓練することができる。
【００２３】
光源から体験者に照射される光の照度を弱める半透明のフィルム又は半透明の板材を含み、半透明のフィルム又は半透明の板材を放射線源から放射された放射線を遮蔽する遮蔽材と仮定する疑似被ばく体験システムは、半透明のフィルム又は半透明の板材が光の照度を弱めることで、遮蔽材を利用することによって各体験者が被ばくする放射線の被ばく量（ｍＳｖ）を低減させることが可能であることを学ぶことができ、各体験者が遮蔽材の必要性や重要性を知ることができる。
【００２４】
半透明のフィルム又は半透明の板材を使用しないときの被ばく線量率（ｍＳｖ／ｈ）と被ばく線量（ｍＳｖ）とのうちの少なくとも一方と、半透明のフィルム又は半透明の板材を使用したときの被ばく線量率（ｍＳｖ／ｈ）と被ばく線量（ｍＳｖ）とのうちの少なくとも一方とが出力装置に出力される疑似被ばく体験システムは、半透明のフィルム又は半透明の板材を使用しないときの被ばく線量率（ｍＳｖ／ｈ）や被ばく線量（ｍＳｖ）と、半透明のフィルム又は半透明の板材を使用したときの被ばく線量率（ｍＳｖ／ｈ）や被ばく線量（ｍＳｖ）とを出力（表示）することで、半透明のフィルム又は半透明の板材を使用しないときと使用したときとの被ばく線量率（ｍＳｖ／ｈ）や被ばく線量（ｍＳｖ）の相違を知ることができ、遮蔽材を利用することによって各体験者が被ばくする放射線の被ばく量（ｍＳｖ）を低減させる遮蔽効果を学ぶことができるとともに、各体験者が遮蔽材の必要性や重要性を知ることができる。
【００２５】
光源から体験者までの離間距離を測定する距離計を含み、距離計によって測定された離間距離が出力装置に出力される疑似被ばく体験システムは、距離計によって測定された離間距離を出力（表示）することで、離間寸法の相違による被ばく線量率（ｍＳｖ／ｈ）や被ばく線量（ｍＳｖ）の相違を知ることができ、線源から離間することによって各体験者が被ばくする放射線の被ばく量（ｍＳｖ）を低減させることが可能であることを学ぶことができるとともに、各体験者が線源から離れることの必要性や重要性を知ることができる。
【図面の簡単な説明】
【００２６】
【図１】一例として示す疑似被ばく体験システムの構成図。
【図２】疑似被ばく体験システムにおいて実施する作業の一例を説明する図。
【図３】パーソナルコンピュータのディスプレイに出力されたホーム画面の一例を示す図。
【図４】パーソナルコンピュータのディスプレイに出力された体験者選択画面の一例を示す図。
【図５】パーソナルコンピュータのディスプレイに出力された体験スタート画面の一例を示す図。
【図６】図２の作業においてプロジェクタから出力された被ばく状況画像の一例を示す図。
【図７】疑似被ばく体験システムにおいて実施する作業の他の一例を説明する図。
【図８】図７の作業においてプロジェクタから出力された被ばく状況画像の他の一例を示す図。
【図９】疑似被ばく体験システムにおいて実施する作業の他の一例を説明する図。
【図１０】図９の作業においてプロジェクタから出力された被ばく状況画像の他の一例を示す図。
【図１１】プロジェクタから出力された合成測定データ画面の一例を示す図。
【図１２】第１作業においてＬＥＤ照明と体験者との間の被ばく模擬エリアに半透明のフィルム又は半透明の板材を介在させたときの合成測定データ画面の一例を示す図。
【図１３】他の一例として示す疑似被ばく体験システムの構成図。
【図１４】プロジェクタから出力された被ばく状況画像の他の一例を示す図。
【図１５】プロジェクタから出力された被ばく状況画像の他の一例を示す図。
【図１６】プロジェクタから出力された被ばく状況画像の他の一例を示す図。
【図１７】プロジェクタから出力された合成測定データ画面の他の一例を示す図。
【発明を実施するための形態】
【００２７】
一例として示す疑似被ばく体験システム１０Ａの構成図である図１等の添付の図面を参照し、本発明に係る疑似被ばく体験システムの詳細を説明すると、以下のとおりである。疑似被ばく体験システム１０Ａは、放射線に被ばくした汚染区域又は放射線を使用する使用区域と仮定した所定容積の被ばく模擬エリア１１と、被ばく模擬エリア１１に設置されたＬＥＤ照明１２（光源）と、体験者Ｍの胸部（所定の箇所）に取り付けられる照度計１３（照度センサ）と、体験者Ｍの頭部（所定の箇所）に取り付けられるｗｅｂカメラ１４（カメラ）と、プロジェクタ１５（出力装置）と、パーソナルコンピュータ１６とから形成されている。
【００２８】
疑似被ばく体験システム１０Ａ（疑似被ばく体験システム１０Ｂを含む）は、光源（ＬＥＤ照明１２）から被ばく模擬エリア１１に光を照射し、被ばく模擬エリア１１において体験者Ｍに所定の作業をさせつつ、光源（ＬＥＤ照明１２）から体験者Ｍが受ける光の照度を体験者Ｍの胸部に取り付けられた照度計１３で測定し、照度計１３が測定した照度を放射線源から放射された線量と擬制することで、体験者Ｍに放射線疑似被ばくを体験させる。
【００２９】
被ばく模擬エリア１１は、建物の室内に設置された作業台１７近傍に設定されている。被ばく模擬エリア１１（所定容積の作業空間）では、放射線に被ばくした汚染区域や放射線を使用する使用区域において行われる所定の作業を仮定した模擬作業が行われる。被ばく模擬エリア１１（作業台１７の作業面）には、柄の長さが短いトング１８（治具）と、柄の長さが中程度の中尺マジックハンド１９（治具）と、柄の長さが１番長い長尺マジックハンド２０（治具）と、それらマジックハンド１９，２０やトング１８に掴み取らせる（把持させる）各種形状の複数のブロック２１と、それらブロック２１を収容した第１トレー２２と、それらブロック２１を移動させる第２トレー２３とが載置されている。
【００３０】
また、被ばく模擬エリア１１（作業台１７の作業面）には、半透明のフィルム２４（有色透明の熱可塑性合成樹脂フィルム（プラスチックフィルム）又は白濁した熱可塑性合成樹脂フィルム（プラスチックフィルム））又は半透明の板材２４（有色透明の熱可塑性合成樹脂板（プラスチック板）又は白濁した熱可塑性合成樹脂板（プラスチック板））が載置されている。疑似被ばく体験システム１０Ａ（疑似被ばく体験システム１０Ｂを含む）では、半透明のフィルム２４又は半透明の板材２４を放射線源から放射された放射線を遮蔽する遮蔽材と仮定する。
【００３１】
ＬＥＤ照明１２（光源）は、被ばく模擬エリア１１（作業台１７）の作業面に載置され、被ばく模擬エリア１１（作業台１７）の作業面に向かって所定の照度の光を照射する。ＬＥＤ照明１２（光源）は、放射線に被ばくした汚染区域に存左して放射線を放射する放射線源と仮定し、又は、放射線を使用する使用区域に存左して放射線を放射する放射線源と仮定される。光源としてＬＥＤ照明１２が使用されているが、光源には蛍光灯や白熱ランプ等のその他の光源を使用することもできる。
【００３２】
ＬＥＤ照明１２（光源）の制御部（図示せず）は、インターフェイス（無線又は有線）を介してパーソナルコンピュータ１６に接続されている。ＬＥＤ照明１２は、その照度を変更することができる。ＬＥＤ照明１２の制御部は、パーソナルコンピュータ１６の点灯指令（点灯信号）によってＬＥＤ照明１２を点灯し、パーソナルコンピュータ１６の消灯指令（消灯信号）によってＬＥＤ照明１２を消灯するとともに、パーソナルコンピュータ１６の照度指令（照度信号）によってＬＥＤ照明１２の照度を設定（変更）する。
【００３３】
照度計１３は、ＬＥＤ照明１２（光源）から照射された光の照度であって体験者ＭがＬＥＤ照明１２から受ける光の照度を測定する。照度計１３は、放射線に被ばくした汚染区域に存左する放射線源から放射された放射線を測定する放射線測定器と仮定し、又は、放射線を使用する使用区域に存左する放射線源から放射された放射線を測定する放射線測定器と仮定する。照度計１３は、インターフェイス（無線又は有線）を介してパーソナルコンピュータ１６に接続され、測定した照度をパーソナルコンピュータ１６に送信する。照度計１３は、パーソナルコンピュータ１６の測定開始指令（測定開始信号）によって照度の測定を開始し、パーソナルコンピュータ１６の測定停止指令（測定停止信号）によって照度の測定を停止する。
【００３４】
ｗｅｂカメラ１４（カメラ）は、体験者Ｍが被るヘルメット２５に設置されている。ｗｅｂカメラ１４は、被ばく模擬エリア１１（作業台１７）における体験者Ｍの所定の作業中に体験者Ｍの作業動作を含む被ばく模擬エリア１１を撮影する。ｗｅｂカメラ１４の制御部（図示せず）は、インターフェイス（無線又は有線）を介してパーソナルコンピュータ１６に接続され、撮影した体験者Ｍの作業動作を含む被ばく模擬エリア１１のデジタル画像をパーソナルコンピュータ１６に送信する。ｗｅｂカメラ１４の制御部は、パーソナルコンピュータ１６の撮影開始指令（撮影開始信号）によって撮影を開始し、パーソナルコンピュータ１６の撮影停止指令（撮影停止信号）によって撮影を停止する。
【００３５】
プロジェクタ１５（出力装置）は、被ばく模擬エリア１１（作業台１７）から離間した室内の所定の箇所に設置されている。プロジェクタ１５の制御部（図示せず）は、インターフェイス（無線又は有線）を介してパーソナルコンピュータ１６に接続されている。プロジェクタ１５の制御部は、ｗｅｂカメラ１４によって撮影された体験者Ｍの作業動作を含む被ばく模擬エリア１１のデジタル画像をスクリーン２６や壁に出力（投影）するとともに、パーソナルコンピュータ１６によって作られた被ばく状況画像（測定画像）をスクリーン２６や壁に出力（投影）する。出力装置には、プロジェクタ１５の他に、各種のディスプレイを使用することもできる。
【００３６】
パーソナルコンピュータ１６は、被ばく模擬エリア１１（作業台１７）から離間した室内の所定の箇所に設置されている。パーソナルコンピュータ１６は、中央処理部（ＣＰＵまたはＭＰＵ）とメモリ（メインメモリおよびキャッシュメモリ）とを有して独立したオペレーティングシステム（ＯＳ）によって動作する物理的なコンピュータであり、大容量記憶領域が内蔵されている。パーソナルコンピュータ１６のメモリには、このシステム１０Ａ（システム１０Ｂを含む）を実施するための疑似被ばく体験アプリケーションがインストールされている。パーソナルコンピュータ１６には、キーボード２７やマウス（図示せず）等の入力装置、ディスプレイ２８やマイクロフォン（図示せず）、スピーカー（図示せず）、プリンタ（図示せず）等の出力装置がインターフェイスを介して接続されている。
【００３７】
パーソナルコンピュータ１６の大容量記憶領域には、被ばく模擬エリア１１における被ばく限度値（ｍＳｖ／日）と、体験者Ｍ（体験予定者Ｍ）の個人情報とが格納（記憶）されている。体験者Ｍ（体験予定者Ｍ）の個人情報には、個人特定情報（個人特定識別子）、体験者Ｍ（体験予定者Ｍ）の氏名、体験者Ｍ（体験予定者Ｍ）の住所、体験者Ｍ（体験予定者Ｍ）の電話番号、体験者Ｍ（体験予定者Ｍ）のＦＡＸ番号、年齢、性別、メールアドレス等がある。被ばく限度値は、入力装置によって任意に変更することができる。個人特定情報（個人特定識別子）には、ＩＤ番号やパスワードを使用することができる他、パーソナルコンピュータが独自に生成したユニーク情報を使用することができる。
【００３８】
なお、所定のデータセンター（図示せず）に形成されたクラウド（クラウドコンピューティング）を利用することもできる。クラウド（クラウドコンピューティング）を利用する場合は、中央処理部（仮想ＣＰＵまたは仮想ＭＰＵ）とメモリ（仮想メインメモリおよび仮想キャッシュメモリ）とを有して仮想オペレーティングシステム（仮想ＯＳ）によって動作する仮想サーバが利用され、仮想サーバに大容量仮想記憶領域が生成される。クラウドとしては、Infrastructure as a Service（IaaS）、Platform as a Service（PaaS）、Software as a Service（SaaS）を利用することができる。
【００３９】
パーソナルコンピュータ１６は、照度計１３が測定した体験者Ｍが受ける光の照度（ｌｘ）を被ばく量（ｍＳｖ）に置き換える換算処理を行う（換算手段）。パーソナルコンピュータ１６は、照度計１３が測定した体験者Ｍが受ける光の照度（ｌｘ）、照度を換算した被ばく量（ｍＳｖ）、照度の測定日時を個人特定情報（個人特定識別子）に関連付けた状態で大容量記憶領域に格納（記憶）する（被ばく量第１記憶手段）。
【００４０】
パーソナルコンピュータ１６は、照度計１３が測定した体験者Ｍに照射された光の照度を微分することで、体験者Ｍに放射された放射線の被ばく線量率（ｍＳｖ／ｈ）を算出する第１算出処理を行う（第１算出手段）。パーソナルコンピュータ１６は、照度を微分して算出した被ばく線量率（ｍＳｖ／ｈ）、被ばく線量率（ｍＳｖ／ｈ）の算出日時を個人特定情報（個人特定識別子）に関連付けた状態で大容量記憶領域に格納（記憶）する（被ばく線量率記憶手段）。
【００４１】
パーソナルコンピュータ１６は、照度計１３が測定した体験者Ｍに照射された光の照度を積分することで、体験者Ｍに放射された放射線の被ばく線量（ｍＳｖ）を算出する第２算出処理を行う（第２算出手段）。パーソナルコンピュータ１６は、照度を積分して算出した被ばく線量（ｍＳｖ）、被ばく線量（ｍＳｖ）の算出日時を個人特定情報（個人特定識別子）に関連付けた状態で大容量記憶領域に格納（記憶）する（被ばく量第２記憶手段）。
【００４２】
パーソナルコンピュータ１６は、換算処理（換算手段）や第１算出処理（第１算出手段）、第２算出処理（第２算出手段）によって得られたデータを含む被ばく状況画像（測定画像）を作成する（被ばく状況画像作成手段）。パーソナルコンピュータ１６は、被ばく状況画像作成手段によって作成した被ばく状況画像、被ばく状況画像の作成日時を個人特定情報（個人特定識別子）に関連付けた状態で大容量記憶領域に格納（記憶）する（測定画像記憶手段）。
【００４３】
被ばく状況画像作成手段によって作成された被ばく状況画像（測定画像）には、第１算出処理（第１算出手段）によって算出された被ばく線量率（ｍＳｖ／ｈ）、第２算出処理（第２算出手段）によって算出された被ばく線量（ｍＳｖ）、被ばく模擬エリアにおける体験者の作業時間（Ｔ）、被ばく模擬エリア１１における被ばく限度値（ｍＳｖ／日）、被ばく模擬エリア１１における被ばく線量率（ｍＳｖ／ｈ）の作業時間による線量率変化値（ｍＳｖ／ｈ）、被ばく模擬エリアにおける被ばく線量（ｍＳｖ）の作業時間による線量変化値（ｍＳｖ）が出力（表示）される。
【００４４】
図２は、疑似被ばく体験システム１０Ａにおいて実施する作業の一例を説明する図であり、図３は、パーソナルコンピュータ１６のディスプレイ２８に出力されたホーム画面の一例を示す図である。図４は、パーソナルコンピュータ１６のディスプレイ２８に出力された体験者選択画面の一例を示す図であり、図５は、パーソナルコンピュータ１６のディスプレイ２８に出力された体験スタート画面の一例を示す図である。図６は、図２の作業においてプロジェクタ１５（出力装置）から出力（投影）された被ばく状況画像（測定画像）の一例を示す図である。
【００４５】
図２では、スクリーン２６に出力（表示）された被ばく状況画像（測定画像）の図示を省略し、図４では、体験者予定者表示エリア４ａに表示された体験者予定者の一覧の図示を省略している。図５では、体験者予定者情報表示エリア５ａに表示された体験者予定者の個人情報の図示を省略し、図６では、被ばく模擬エリア１１のデジタル画像の図示を省略している。
【００４６】
疑似被ばく体験システム１０Ａにおいて体験者Ｍに放射線疑似被ばくを体験させる手順の一例は以下のとおりである。管理者(解説者)は、照度計１３を取り付けたネックストラップ２９及びｗｅｂカメラ１４を設置したヘルメット２５を体験者Ｍに渡し、ネックストラップ２９を首に掛け、ヘルメット２５を頭に被るように指示する。体験者Ｍは、管理者(解説者)の指示に従って、ネックストラップ２９を首に掛け、ヘルメット２５を頭に被る。ネックストラップ２９を首に掛けると、照度計１３が体験者Ｍの胸部に位置し、ヘルメット２５を被ると、ｗｅｂカメラ１４のレンズが体験者Ｍの前方へ向かう。管理者は、体験者Ｍに被ばく模擬エリア１１において行う作業の説明を行う。
【００４７】
被ばく模擬エリア１１において体験者Ｍが行う第１作業の一例は、体験者Ｍが第１及び第２トレー２２，２３を挟んでＬＥＤ照明１２（光源）の反対側に立ち、柄の長さが１番短いトング１８（治具）を使用して第１トレー２２に収容された各種ブロック２１をトング１８によって掴み取り、それらブロック２１をトング１８によって掴んだ状態で第１トレー２２から第２トレー２３に移す。
【００４８】
被ばく模擬エリア１１において体験者が行う第２作業の一例は、体験者Ｍが第１及び第２トレー２２，２３を挟んでＬＥＤ照明１２（光源）の反対側に立ち、柄の長さが中程度の中尺マジックハンド１９（治具）を使用して第１トレー２２に収容された各種ブロック２１を中尺マジックハンド１９によって掴み取り、それらブロック２１を中尺マジックハンド１９によって掴んだ状態で第１トレー２２から第２トレー２３に移す。
【００４９】
被ばく模擬エリア１１において体験者が行う第３作業の一例は、体験者Ｍが第１及び第２トレー２２，２３を挟んでＬＥＤ照明１２（光源）の反対側に立ち、柄の長さが１番長い長尺マジックハンド２０（治具）を使用して第１トレー２２に収容された各種ブロック２１を長尺マジックハンド２０によって掴み取り、それらブロック２１を長尺マジックハンド２０によって掴んだ状態で第１トレー２２から第２トレー２３に移す。
【００５０】
次に、管理者は、パーソナルコンピュータ１６のスイッチをＯＮにする。パーソナルコンピュータ１６のスイッチをＯＮにすると、パーソナルコンピュータ１６に接続されたディスプレイ２８に疑似被ばく体験アプリケーションを示すアイコンが出力（表示）される。管理者がそのアイコンをクリック（タップ）すると、疑似被ばく体験アプリケーションが起動し、図３に示す疑似被ばく体験のホーム画面がディスプレイ２８に出力（表示）される。
【００５１】
図３のホーム画面には、体験者選択ボタン３ａ、設置された被ばく限度値を表示した被ばく限度値表示エリア３ｂ、設定された照度を表示した照度表示エリア３ｃ、体験予定者登録ボタン３ｄ、限度値設定ボタン３ｅ、照度設定ボタン３ｆ、キャンセルボタン３ｇが表示される。キャンセルボタン３ｇをクリックすると、疑似被ばく体験アプリケーションが停止する（以下のキャンセルボタンも同様）。なお、被ばく限度値が設定されていない場合、限度値表示エリア３ｂはブランクになり、照度が設定されていない場合、照度表示エリア３ｃはブランクになる。
【００５２】
体験予定者Ｍを登録するには、体験予定者登録ボタン３ｄをクリックする。体験予定者登録ボタン３ｄをクリックすると、図示はしていないが、体験予定者登録画面がディスプレイ２８に出力（表示）される。体験予定者登録画面には、体験予定者Ｍの個人情報（体験予定者Ｍの氏名、体験予定者Ｍの住所、体験予定者Ｍの電話番号、体験予定者ＭのＦＡＸ番号、年齢、性別、メールアドレス等）を入力する個人情報入力エリア、登録ボタン、ホーム画面ボタン、キャンセルボタンが表示される。ホーム画面ボタンをクリックすると、図３のホーム画面がディスプレイ２８に表示される（以下のホーム画面ボタンも同様）。
【００５３】
個人情報入力エリアに体験予定者Ｍの個人情報を入力した後、登録ボタンをクリックする。登録ボタンをクリックすると、パーソナルコンピュータ１６は、入力された体験予定者Ｍの個人情報を個人特定情報（個人特定識別子）に関連付けた状態で大容量記憶領域に格納（記憶）し、図３のホーム画面をディスプレイ２８に表示する。
【００５４】
被ばく限度値（ｍＳｖ／日）を設定（変更）する場合、限度値設定ボタン３ｅをクリックする。限度値設定ボタン３ｅをクリックすると、図示はしていないが、限度値設定画面がディスプレイ２８に出力（表示）される。限度値設定画面には、既に設定された被ばく限度値を表示した限度値表示エリア（被ばく限度値が設定されていない場合はブランク）、被ばく限度値を入力する限度値入力エリア、設定ボタン、ホーム画面ボタン、キャンセルボタンが表示される。限度値をあらたに設定し又は設定した限度値を変更するには、限度値入力エリアに限度値を入力し、設定ボタンをクリックする。設定ボタンをクリックすると、パーソナルコンピュータ１６は、入力された被ばく限度値（ｍＳｖ／日）を大容量記憶領域に格納（記憶）し、図３のホーム画面をディスプレイ２８に表示する。
【００５５】
照度（ｌｘ）を設定する場合、照度設定ボタン３ｆをクリックする。照度設定ボタン３ｆをクリックすると、図示はしていないが、照度設定画面がディスプレイ２８に出力（表示）される。照度設定画面には、既に設定された照度を表示した照度表示エリア（照度が設定されていない場合はブランク）、被ばく限度値を入力する限度値入力エリア、設定ボタン、ホーム画面ボタン、キャンセルボタンが表示される。照度をあらたに設定し又は設定した照度を変更するには、照度入力エリアに照度を入力し、設定ボタンをクリックする。設定ボタンをクリックすると、パーソナルコンピュータ１６は、入力された照度（ｌｘ）を大容量記憶領域に格納（記憶）し、図３のホーム画面をディスプレイ２８に表示する。
【００５６】
被ばく限度値（ｍＳｖ／日）や照度（ｌｘ）を設定（変更）した後、管理者(解説者)は、体験者Ｍを被ばく模擬エリア１１においてＬＥＤ照明１２（光源）の反対側に立たせ、図３のホーム画面の体験者選択ボタン３ａをクリックする。体験者選択ボタン３ａをクリックすると、パーソナルコンピュータ１６は、図４に示す体験者選択画面をディスプレイ２８に出力（表示）する。図４の体験者選択画面には、既に登録された体験者予定者の一覧を表示した体験者予定者表示エリア４ａ、体験者予定者選択ボタン４ｂ、クリアボタン４ｃ、ホーム画面ボタン４ｄ、キャンセルボタン４ｅが表示される。
【００５７】
体験者予定者表示エリア４ａに表示された体験者予定者Ｍの中から所定の体験者予定者Ｍを反転（選択）させ、体験者予定者選択ボタン４ｂをクリックする。なお、クリアボタン４ｃをクリックすると、反転（選択）させた体験者予定者がクリアされ、体験者予定者を再度選択する。体験者予定者選択ボタン４ｂをクリックすると、図５に示す体験スタート画面がディスプレイ２８に出力（表示）される。図５の体験スタート画面には、選択された体験者予定者の個人情報を表示した体験者予定者情報表示エリア５ａ、スタートボタン５ｂ、ホーム画面ボタン５ｃ、キャンセルボタン５ｄが表示される。
【００５８】
管理者は、体験スタート画面の体験者予定者情報表示エリア５ａに表示された体験者予定者Ｍの個人情報を確認した後、スタートボタン５ｂをクリックする。スタートボタン５ｂをクリックすると、パーソナルコンピュータ１６は、ＬＥＤ照明１２（光源）の制御部に照度指令（照度信号）及び点灯指令（点灯信号）を送信する。照度指令（照度信号）及び点灯指令（点灯信号）を受信したＬＥＤ照明１２の制御部は、指令された照度でＬＥＤ照明１２を点灯する。ＬＥＤ照明１２が点灯すると、ＬＥＤ照明１２から被ばく模擬エリア１１に設定された照度の光が照射される。
【００５９】
パーソナルコンピュータ１６は、照度計１３に測定開始指令（測定開始信号）を送信する。測定開始指令（測定開始信号）を受信した照度計１３は、照度の測定を開始する。パーソナルコンピュータ１６は、ｗｅｂカメラ１４の制御部に撮影開始指令（撮影開始信号）を送信する。撮影開始指令（撮影開始信号）を受信したｗｅｂカメラ１４の制御部は、ｗｅｂカメラ１４の撮影を開始する。
【００６０】
体験者Ｍは、被ばく模擬エリア１１において第１作業を行う。体験者Ｍには、ＬＥＤ照明１２から設定された照度の光が照射される。第１作業において体験者Ｍは、柄の長さが１番短いトング１８（治具）によってブロック２１を掴み取り、それらブロック２１を一つずつ第１トレー２２から第２トレー２３に移す。体験者Ｍの第１作業中において、ＬＥＤ照明１２から照射されて体験者Ｍが受ける光の照度が照度計１３によって測定され、測定された照度が照度計１３からパーソナルコンピュータ１６に送信されるとともに、体験者Ｍの作業動作を含む被ばく模擬エリア１１がｗｅｂカメラ１４によって撮影され、撮影された体験者Ｍの作業動作を含む被ばく模擬エリア１１のデジタル画像がｗｅｂカメラ１４からパーソナルコンピュータ１６に送信される。
【００６１】
パーソナルコンピュータ１６は、体験者Ｍの第１作業中に照度計１３が測定した光の照度（ｌｘ）を被ばく量（ｍＳｖ）に換算し（換算手段）、体験者Ｍの第１作業中に照度計１３が測定した光の照度を微分し、体験者Ｍに放射された放射線の被ばく線量率（ｍＳｖ／ｈ）を算出する（第１算出手段）。パーソナルコンピュータ１６は、体験者Ｍの第１作業中に照度計１３が測定した光の照度を積分し、体験者Ｍに放射された放射線の被ばく線量（ｍＳｖ）を算出し（第２算出手段）、換算手段や第１算出手段、第２算出手段によって得られた第１作業におけるデータを含む被ばく状況画像を作成する（被ばく状況画像作成手段）。
【００６２】
パーソナルコンピュータ１６は、体験者Ｍの第１作業中に換算した被ばく量（ｍＳｖ）及び照度の測定日時を個人特定情報（第１作業情報を含む）に関連付けた状態で大容量記憶領域に格納（記憶）し（被ばく量第１記憶手段）、体験者Ｍの第１作業中に算出した被ばく線量率（ｍＳｖ／ｈ）、被ばく線量率（ｍＳｖ／ｈ）の算出日時を個人特定情報（第１作業情報を含む）に関連付けた状態で大容量記憶領域に格納（記憶）する（被ばく線量率記憶手段）。パーソナルコンピュータ１６は、体験者Ｍの第１作業中に算出した被ばく線量（ｍＳｖ）、被ばく線量（ｍＳｖ）の算出日時を個人特定情報（第１作業情報を含む）に関連付けた状態で大容量記憶領域に格納（記憶）し（被ばく量第２記憶手段）、体験者Ｍの第１作業中に作成した被ばく状況画像、被ばく状況画像の作成日時を個人特定情報（第１作業情報を含む）に関連付けた状態で大容量記憶領域に格納（記憶）する（測定画像記憶手段）。
【００６３】
パーソナルコンピュータ１６は、体験者Ｍの第１作業中に作成した被ばく状況画像をプロジェクタ１５からスクリーン２６に出力（投影）する。被ばく状況画像は、体験者Ｍの第１作業の開始から終了までの間の作業中に出力（表示）される他、作業終了後に出力（表示）することもできる。体験者Ｍの第１作業中に作成された被ばく状況画像には、図６に示すように、体験者の作業動作を含む被ばく模擬エリアのデジタル画像（図示せず）が出力（表示）されるとともに、各種の測定データを表示した測定データ画面が出力（表示）される。被ばく模擬エリアのデジタル画像には、ｗｅｂカメラ１４によって撮影されて第１作業中に体験者Ｍの頭部から見た模擬エリア１１の画像が出力（表示）される。
【００６４】
測定データ画面には、第１作業における被ばく線量（ｍＳｖ）が縦軸に出力（表示）され、作業時間（Ｔ）が横軸に出力（表示）されるとともに、縦横軸内に被ばく限度値（ｍＳｖ／日）、被ばく率時間変化、被ばく量時間変化が出力（表示）される。更に、縦軸と平行して第１作業における被ばく線量率（ｍＳｖ／ｈ）が出力（表示）され、横軸と平行して被ばく線量（ｍＳｖ）が出力（表示）されるとともに、作業終了ボタン及びキャンセルボタンが出力（表示）される。なお、パーソナルコンピュータ１６のディスプレイ２８には、プロジェクタ１５からスクリーン２６に出力（投影）された図６と同様のデジタル画像と測定データ画面とが出力（表示）される。
【００６５】
短いトング１８（治具）を使用した第１作業では、体験者ＭがＬＥＤ照明１２（放射線源）に最も近くに位置するから、ＬＥＤ照明１２から体験者Ｍに照射される光の照度が高く、したがって放射線源から体験者Ｍに放射される放射線の線量が高くなり、短時間に被ばく限度値を超えることが分かる。体験者Ｍは、ＬＥＤ照明１２（放射線源）に近づくことで被ばくのリスクが高くなることを知ることができる。第１作業が終了した後、管理者は、パーソナルコンピュータ１６のディスプレイ２８において作業終了ボタンをクリックする。
【００６６】
作業終了ボタンをクリックすると、パーソナルコンピュータ１６がＬＥＤ照明１２（光源）の制御部に消灯指令（消灯信号）を送信し、消灯指令（消灯信号）を受信したＬＥＤ照明１２の制御部がＬＥＤ照明１２を消灯する。パーソナルコンピュータ１６が照度計１３に測定停止指令（測定停止信号）を送信し、測定開始指令（測定開始信号）を受信した照度計１３が照度測定を停止する。パーソナルコンピュータ１６がｗｅｂカメラ１４の制御部に撮影停止指令（撮影停止信号）を送信し、撮影停止指令（撮影停止信号）を受信したｗｅｂカメラ１４の制御部がｗｅｂカメラ１４の撮影を停止する。ディスプレイ２８には、図３のホーム画面が出力（表示）される。
【００６７】
図７は、疑似被ばく体験システム１０Ａにおいて実施する作業の他の一例を説明する図であり、図８は、図７の作業においてプロジェクタ１５（出力装置）から出力（投影）された被ばく状況画像（測定画像）の他の一例を示す図である。図７では、スクリーン２６に出力（表示）された被ばく状況画像（測定画像）の図示を省略し、図８では、被ばく模擬エリア１１のデジタル画像の図示を省略している。
【００６８】
第１作業が終了した後、管理者(解説者)は、体験者Ｍを被ばく模擬エリア１１においてＬＥＤ照明１２（光源）の反対側に再び立たせ、図５の体験スタート画面のスタートボタン５ｂをクリックする。スタートボタン５ｂをクリックすると、ＬＥＤ照明１２が点灯し、ＬＥＤ照明１２から被ばく模擬エリア１１に設定された照度の光が照射され、照度計１３が照度の測定を開始するとともに、ｗｅｂカメラ１４が撮影を開始する。
【００６９】
体験者Ｍは、被ばく模擬エリア１１において第２作業を行う。第２作業において体験者Ｍは、柄の長さが中程度の中尺マジックハンド１９（治具）によってブロック２１を掴み取り、それらブロック２１を一つずつ第１トレー２２から第２トレー２３に移す。トング１８よりも柄の長さが長い中尺マジックハンド１９を使用することによって体験者ＭとＬＥＤ照明１２（放射線源）との離間距離が第１作業における離間距離よりも大きくなる。
【００７０】
体験者Ｍの第２作業中において、ＬＥＤ照明１２から照射されて体験者Ｍが受ける光の照度が照度計１３によって測定され、測定された照度が照度計１３からパーソナルコンピュータ１６に送信されるとともに、体験者Ｍの作業動作を含む被ばく模擬エリア１１がｗｅｂカメラ１４によって撮影され、撮影された体験者Ｍの作業動作を含む被ばく模擬エリア１１のデジタル画像がｗｅｂカメラ１４からパーソナルコンピュータ１６に送信される。
【００７１】
パーソナルコンピュータ１６は、体験者Ｍの第２作業中に照度計１３が測定した光の照度（ｌｘ）を被ばく量（ｍＳｖ）に換算し（換算手段）、体験者Ｍの第２作業中に照度計１３が測定した光の照度を微分し、体験者Ｍに放射された放射線の被ばく線量率（ｍＳｖ／ｈ）を算出する（第１算出手段）。更に、体験者Ｍの第２作業中に照度計１３が測定した光の照度を積分し、体験者Ｍに放射された放射線の被ばく線量（ｍＳｖ）を算出し（第２算出手段）、換算手段や第１算出手段、第２算出手段によって得られた第２作業におけるデータを含む被ばく状況画像を作成する（被ばく状況画像作成手段）。
【００７２】
パーソナルコンピュータ１６は、体験者Ｍの第２作業中に換算した被ばく量（ｍＳｖ）及び照度の測定日時を個人特定情報（第２作業情報を含む）に関連付けた状態で大容量記憶領域に格納（記憶）し（被ばく量第１記憶手段）、体験者Ｍの第２作業中に算出した被ばく線量率（ｍＳｖ／ｈ）、被ばく線量率（ｍＳｖ／ｈ）の算出日時を個人特定情報（第２作業情報を含む）に関連付けた状態で大容量記憶領域に格納（記憶）する（被ばく線量率記憶手段）。更に、体験者Ｍの第２作業中に算出した被ばく線量（ｍＳｖ）、被ばく線量（ｍＳｖ）の算出日時を個人特定情報（第２作業情報を含む）に関連付けた状態で大容量記憶領域に格納（記憶）し（被ばく量第２記憶手段）、体験者Ｍの第２作業中に作成した被ばく状況画像、被ばく状況画像の作成日時を個人特定情報（第２作業情報を含む）に関連付けた状態で大容量記憶領域に格納（記憶）する（測定画像記憶手段）。
【００７３】
パーソナルコンピュータ１６は、体験者Ｍの第２作業中に作成した被ばく状況画像をプロジェクタ１５からスクリーン２６に出力（投影）する。被ばく状況画像は、体験者Ｍの第２作業の開始から終了までの間の作業中に出力（表示）される他、作業終了後に出力（表示）することもできる。体験者Ｍの第２作業中に作成された被ばく状況画像には、図８に示すように、体験者Ｍの作業動作を含む被ばく模擬エリア１１のデジタル画像（図示せず）が出力（表示）されるとともに、各種の測定データを表示した測定データ画面が出力（表示）される。被ばく模擬エリア１１のデジタル画像には、ｗｅｂカメラ１４によって撮影されて第２作業中に体験者Ｍの頭部から見た模擬エリア１１の画像が出力（表示）される。
【００７４】
測定データ画面には、第２作業における被ばく線量（ｍＳｖ）が縦軸に出力（表示）され、作業時間（Ｔ）が横軸に出力（表示）されるとともに、縦横軸内に被ばく限度値（ｍＳｖ／日）、被ばく率時間変化、被ばく量時間変化が出力（表示）される。更に、縦軸と平行して第２作業における被ばく線量率（ｍＳｖ／ｈ）が出力（表示）され、横軸と平行して被ばく線量（ｍＳｖ）が出力（表示）されるとともに、作業終了ボタン及びキャンセルボタンが出力（表示）される。なお、パーソナルコンピュータ１６のディスプレイ２８には、プロジェクタ１５からスクリーン２６に出力（投影）された図８と同様のデジタル画像と測定データ画面とが出力（表示）される。
【００７５】
中尺マジックハンド１９（治具）を使用した第２作業では、体験者ＭとＬＥＤ照明１２（放射線源）との離間距離が第１作業の離間距離よりも長くなるから、ＬＥＤ照明１２から体験者Ｍに照射される光の照度が第１作業のそれよりも低く、放射線源から体験者Ｍに放射される放射線の線量が第１作業のそれよりも低くなり、被ばく限度値を超える時間が第１作業のそれよりも長くなることが分かる。体験者Ｍは、ＬＥＤ照明１２（放射線源）から離れることで被ばくのリスクが低くなることを知ることができる。第２作業が終了した後、管理者は、パーソナルコンピュータ１６のディスプレイ２８において作業終了ボタンをクリックする。第１作業の終了と同様に、ＬＥＤ照明１２が消灯し、照度計１３が照度測定を停止するとともに、ｗｅｂカメラ１４が撮影を停止する。ディスプレイ２８には、図３のホーム画面が出力（表示）される。
【００７６】
図９は、疑似被ばく体験システム１０Ａにおいて実施する作業の他の一例を説明する図であり、図１０は、図９の作業においてプロジェクタ１５（出力装置）から出力（投影）された被ばく状況画像（測定画像）の他の一例を示す図である。図９では、スクリーン２６に出力（表示）された被ばく状況画像（測定画像）の図示を省略し、図１０では、被ばく模擬エリア１１のデジタル画像の図示を省略している。
【００７７】
第２作業が終了した後、管理者(解説者)は、体験者Ｍを被ばく模擬エリア１１においてＬＥＤ照明１２（光源）の反対側に再び立たせ、図５の体験スタート画面のスタートボタン５ａをクリックする。スタートボタン５ａをクリックすると、ＬＥＤ照明１２が点灯し、ＬＥＤ照明１２から被ばく模擬エリア１１に設定された照度の光が照射され、照度計１３が照度の測定を開始するとともに、ｗｅｂカメラ１４が撮影を開始する。
【００７８】
体験者Ｍは、被ばく模擬エリア１１において第３作業を行う。第３作業において体験者Ｍは、柄の長さが１番長い長尺マジックハンド２０（治具）によってブロック２１を掴み取り、それらブロック２１を一つずつ第１トレー２２から第２トレー２３に移す。中尺マジックハンド１９よりも柄の長さが長い長尺マジックハンド２０を使用することによって体験者ＭとＬＥＤ照明１２（放射線源）との離間距離が第２作業における離間距離よりも大きくなる。体験者Ｍの第３作業中において、ＬＥＤ照明１２から照射されて体験者Ｍが受ける光の照度が照度計１３によって測定され、測定された照度が照度計１３からパーソナルコンピュータ１６に送信されるとともに、体験者Ｍの作業動作を含む被ばく模擬エリア１１がｗｅｂカメラ１４によって撮影され、撮影された体験者Ｍの作業動作を含む被ばく模擬エリア１１のデジタル画像がｗｅｂカメラ１４からパーソナルコンピュータ１６に送信される。
【００７９】
パーソナルコンピュータ１６は、体験者Ｍの第３作業中に照度計１３が測定した光の照度（ｌｘ）を被ばく量（ｍＳｖ）に換算し（換算手段）、体験者Ｍの第３作業中に照度計１３が測定した光の照度を微分し、体験者Ｍに放射された放射線の被ばく線量率（ｍＳｖ／ｈ）を算出する（第１算出手段）。更に、体験者Ｍの第３作業中に照度計１３が測定した光の照度を積分し、体験者Ｍに放射された放射線の被ばく線量（ｍＳｖ）を算出し（第２算出手段）、換算手段や第１算出手段、第２算出手段によって得られた第３作業おけるデータを含む被ばく状況画像を作成する（被ばく状況画像作成手段）。
【００８０】
パーソナルコンピュータ１６は、体験者Ｍの第３作業中に換算した被ばく量（ｍＳｖ）及び照度の測定日時を個人特定情報（第３作業情報を含む）に関連付けた状態で大容量記憶領域に格納（記憶）し（被ばく量第１記憶手段）、体験者Ｍの第３作業中に算出した被ばく線量率（ｍＳｖ／ｈ）、被ばく線量率（ｍＳｖ／ｈ）の算出日時を個人特定情報（第３作業情報を含む）に関連付けた状態で大容量記憶領域に格納（記憶）する（被ばく線量率記憶手段）。更に、体験者Ｍの第３作業中に算出した被ばく線量（ｍＳｖ）、被ばく線量（ｍＳｖ）の算出日時を個人特定情報（第３作業情報を含む）に関連付けた状態で大容量記憶領域に格納（記憶）し（被ばく量第２記憶手段）、体験者Ｍの第３作業中に作成した被ばく状況画像、被ばく状況画像の作成日時を個人特定情報（第３作業情報を含む）に関連付けた状態で大容量記憶領域に格納（記憶）する（測定画像記憶手段）。
【００８１】
パーソナルコンピュータ１６は、体験者Ｍの第３作業中に作成した被ばく状況画像をプロジェクタ１５からスクリーン２６に出力（投影）する。被ばく状況画像は、体験者Ｍの第３作業の開始から終了までの間の作業中に出力（表示）される他、作業終了後に出力（表示）することもできる。体験者Ｍの第３作業中に作成された被ばく状況画像には、図１０に示すように、体験者Ｍの作業動作を含む被ばく模擬エリア１１のデジタル画像（図示せず）が出力（表示）されるとともに、各種の測定データを表示した測定データ画面が出力（表示）される。被ばく模擬エリア１１のデジタル画像には、ｗｅｂカメラ１４によって撮影されて第３作業中に体験者Ｍの頭部から見た模擬エリア１１の画像が出力（表示）される。
【００８２】
測定データ画面には、第３作業における被ばく線量（ｍＳｖ）が縦軸に出力（表示）され、作業時間（Ｔ）が横軸に出力（表示）されるとともに、縦横軸内に被ばく限度値（ｍＳｖ／日）、被ばく率時間変化、被ばく量時間変化が出力（表示）される。更に、縦軸と平行して第３作業における被ばく線量率（ｍＳｖ／ｈ）が出力（表示）され、横軸と平行して被ばく線量（ｍＳｖ）が出力（表示）されるとともに、作業終了ボタン及びキャンセルボタンが出力（表示）される。なお、パーソナルコンピュータ１６のディスプレイ２８には、プロジェクタ１５からスクリーン２６に出力（投影）された図１０と同様のデジタル画像と測定データ画面とが出力（表示）される。
【００８３】
長尺マジックハンド２０（治具）を使用した第３作業では、体験者ＭとＬＥＤ照明１２（放射線源）との離間距離が第１作業や第２作業の離間距離よりも長くなるから、ＬＥＤ照明１２から体験者Ｍに照射される光の照度が第１作業や第２作業のそれよりも低く、放射線源から体験者Ｍに放射される放射線の線量が第１作業や第２作業のそれよりも低くなり、被ばく限度値を超える時間が第１作業や第２作業のそれよりも長くなることが分かる。体験者Ｍは、ＬＥＤ照明１２（放射線源）から一層遠くへ離れることで被ばくのリスクが更に低くなることを知ることができる。第３作業が終了した後、管理者は、パーソナルコンピュータ１５のディスプレイ２８において作業終了ボタンをクリックする。第１作業や第２作業の終了と同様に、ＬＥＤ照明１２が消灯し、照度計１３が照度測定を停止するとともに、ｗｅｂカメラ１４が撮影を停止する。ディスプレイ２８には、図３のホーム画面が出力（表示）される。
【００８４】
図１１は、プロジェクタ１５（出力装置）から出力（投影）された合成測定データ画面（合成測定画像）の一例を示す図である。パーソナルコンピュータ１６は、被ばく状況画像作成手段によって作成した第１作業における測定データ画面と第２作業における測定データ画面と第３作業における測定データ画面とを合成して第１〜第３作業における合成測定データ画面を作成し（合成測定データ画面作成手段）、作成した合成測定データ画面をプロジェクタ１５からスクリーン２６に出力（投影）する。
【００８５】
合成測定データ画面には、図１１に示すように、第１作業〜第３作業における被ばく線量（ｍＳｖ）が縦軸に出力（表示）され、作業時間（Ｔ）が横軸に出力（表示）されるとともに、縦横軸内に被ばく限度値（ｍＳｖ／日）、被ばく率時間変化、被ばく量時間変化が出力（表示）される。更に、縦軸と平行して被ばく線量率（ｍＳｖ／ｈ）が出力（表示）され、横軸と平行して被ばく線量（ｍＳｖ）が出力（表示）されるとともに、作業終了ボタン及びキャンセルボタンが出力（表示）される。なお、パーソナルコンピュータ１６のディスプレイ２８には、プロジェクタ１５からスクリーン２６に出力（投影）された図１１と同様の合成測定データ画面とが出力（表示）される。体験者Ｍは、トング１８や中尺マジックハンド１９、長尺マジックハンド２０のそれぞれを使用した場合の被ばく線量（ｍＳｖ）や被ばく線量率（ｍＳｖ／ｈ）、被ばく限度値を超える時間を比較することができる。
【００８６】
疑似被ばく体験システム１０Ａは、光の照度（ｌｘ）を被ばく量（ｍＳｖ）に置き換え、光の照度（ｌｘ）を被ばく量（ｍＳｖ）と仮定することで、体験者Ｍが現実に受けている光が被ばく量となり、ｗｅｂカメラ１４によって撮影された被ばく模擬エリア１１のデジタル画像とともに被ばく線量率（ｍＳｖ／ｈ）と被ばく線量（ｍＳｖ）とをプロジェクタ１５（出力装置）から出力（投影）することで、各体験者Ｍが被ばく模擬エリア１１を視認しつつ被ばくした被ばく線量率（ｍＳｖ／ｈ）や被ばく線量（ｍＳｖ）を知ることができるとともに、各体験者Ｍに放射線の疑似被ばくを体験させることができ、各体験者Ｍに放射線被ばくを確実に実感させることができる。
【００８７】
疑似被ばく体験システム１０Ａは、各体験者Ｍが被ばく模擬エリア１１のデジタル画像を視認しつつ被ばく線量率（ｍＳｖ／ｈ）や被ばく線量（ｍＳｖ）を知ることで、各体験者Ｍに放射線の疑似被ばくを確実に実感させることができるから、放射線被ばくを各体験者Ｍの身体に覚えさせることができ、放射線被ばくの低減の方法を各体験者Ｍが確実に訓練することができるとともに、実体験に基づいて被ばく低減の４原則「時間・遮蔽、離間距離・線源の移動」を体験者Ｍに意識付けすることができる。
【００８８】
図１２は、第１作業においてＬＥＤ照明１２と体験者Ｍとの間の被ばく模擬エリア１１に半透明のフィルム２４又は半透明の板材２４を介在させたときの合成測定データ画面（合成測定画像）の一例を示す図である。図１２では、被ばく模擬エリア１１のデジタル画像の図示を省略している。管理者は、ＬＥＤ照明１２と体験者Ｍとの間の被ばく模擬エリア１１に半透明のフィルム２４又は半透明の板材２４を介在させた状態で体験者に第１作業を行わせる。なお、フィルム２４や板材２４を介在させた状態で体験者に第２作業又は第３作業を行わせることもできる。
【００８９】
図１２の合成測定データ画面には、半透明のフィルム２４（遮蔽材）又は半透明の板材２４（遮蔽材）を介在させた状態の第１作業における被ばく線量（ｍＳｖ）が縦軸に出力（表示）され、作業時間（Ｔ）が横軸に出力（表示）されるとともに、縦横軸内に被ばく限度値（ｍＳｖ／日）、被ばく率時間変化、被ばく量時間変化が出力（表示）される。更に、縦軸と平行して被ばく線量率（ｍＳｖ／ｈ）が出力（表示）され、横軸と平行して被ばく線量（ｍＳｖ）が出力（表示）されるとともに、作業終了ボタン及びキャンセルボタンが出力（表示）される。
【００９０】
なお、パーソナルコンピュータ１６のディスプレイ２８には、プロジェクタ１５からスクリーン２６に出力（投影）された図１２と同様の合成測定データ画面が出力（表示）される。体験者Ｍは、ＬＥＤ照明１２と体験者Ｍとの間に半透明のフィルム２４（遮蔽材）又は半透明の板材２４（遮蔽材）を介在させた場合と半透明のフィルム２４（遮蔽材）又は半透明の板材２４（遮蔽材）を介在させない場合とにおける被ばく線量（ｍＳｖ）や被ばく線量率（ｍＳｖ／ｈ）、被ばく限度値を超える時間、被ばく率時間変化、被ばく量時間変化を比較することができる。
【００９１】
第１作業においてＬＥＤ照明１２と体験者Ｍとの間の被ばく模擬エリア１１（作業台１７の作業面）に半透明のフィルム２４（有色透明の熱可塑性合成樹脂フィルム（プラスチックフィルム）又は白濁した熱可塑性合成樹脂フィルム（プラスチックフィルム））又は半透明の板材２４（有色透明の熱可塑性合成樹脂板（プラスチック板）又は白濁した熱可塑性合成樹脂板（プラスチック板））を介在させることで、ＬＥＤ照明１２（放射線源）から照射された光（放射線）が半透明のフィルム２４（遮蔽材）又は半透明の板材２４を透過することによってその照度（線量）が低下し、それによって体験者Ｍが受ける光（放射線）の照度（線量）が低下する。遮蔽材（フィルム２４や板材２４）を介在させて放射線を遮蔽することで、放射線源から体験者Ｍに放射される放射線の線量が大きく低下することが分かる。
【００９２】
疑似被ばく体験システム１０Ａは、半透明のフィルム２４又は半透明の板材２４を使用しないときの被ばく線量率（ｍＳｖ／ｈ）や被ばく線量（ｍＳｖ）と、半透明のフィルム２４又は半透明の板材２４を使用したときの被ばく線量率（ｍＳｖ／ｈ）や被ばく線量（ｍＳｖ）とを出力（表示）することで、フィルム２４又は板材２４を使用しないときと使用したときとの被ばく線量率（ｍＳｖ／ｈ）や被ばく線量（ｍＳｖ）の相違を知ることができ、遮蔽材を利用することによって各体験者Ｍが被ばくする放射線の被ばく量（ｍＳｖ）を確実に低減させる遮蔽効果を学ぶことができるとともに、各体験者Ｍが遮蔽材の必要性や重要性を知ることができる。
【００９３】
図１３は、他の一例として示す疑似被ばく体験システム１０Ｂの構成図である。図１３に示す疑似被ばく体験システム１０Ｂが図１のそれと異なるところは疑似被ばく体験システム１０Ｂにスピーカー３０（音発生装置）及びレーザー距離計３１（距離計）が含まれる点にあり、その他の構成は図１の疑似被ばく体験システム１０Ａのそれらと同一であるから、図１の疑似被ばく体験システム１０Ａと同一の符号を付すとともに図１の疑似被ばく体験システム１０Ａの説明を援用することで、この疑似被ばく体験システム１０Ｂにおけるその他の詳細な説明は省略する。
【００９４】
疑似被ばく体験システム１０Ｂは、放射線に被ばくした汚染区域又は放射線を使用する使用区域と仮定した所定容積の被ばく模擬エリア１１と、被ばく模擬エリア１１に設置されたＬＥＤ照明１２（光源）と、被ばく模擬エリア１１に設置されたスピーカー３０（音発生装置）と、体験者Ｍの胸部（所定の箇所）に取り付けられる照度計１３（照度センサ）と、体験者Ｍの胸部（所定の箇所）に取り付けられるレーザー距離計３１（距離センサ）と、体験者Ｍの頭部（所定の箇所）に取り付けられるｗｅｂカメラ１４（カメラ）と、プロジェクタ１５（出力装置）と、パーソナルコンピュータ１６とから形成されている。
【００９５】
被ばく模擬エリア１１、ＬＥＤ照明１２（光源）、照度計１３（照度センサ）、ｗｅｂカメラ１４（カメラ）、プロジェクタ１５（出力装置）、パーソナルコンピュータ１６は、図１の疑似被ばく体験システム１０Ａのそれらと同一である。スピーカー３０（音発生装置）は、インターフェイス（無線又は有線）を介してパーソナルコンピュータ１６に接続されている。スピーカー３０は、パーソナルコンピュータ１６からの発音指令（発音信号）によって所定のアラーム又は所定のメッセージを発音する。
【００９６】
レーザー距離計３１（距離センサ）は、インターフェイス（無線又は有線）を介してパーソナルコンピュータ１６に接続されている。レーザー距離計３１は、ＬＥＤ照明１２（光源）から体験者Ｍまでの離間距離を測定し、測定した離間距離をパーソナルコンピュータ１６に送信する。レーザー距離計３１は、パーソナルコンピュータ１６の測定開始指令（測定開始信号）によって体験者ＭとＬＥＤ照明１２との間の離間距離の測定を開始し、パーソナルコンピュータ１６の測定停止指令（測定停止信号）によって離間距離の測定を停止する。なお、距離計として超音波距離センサを使用することもできる。
【００９７】
パーソナルコンピュータ１６は、図１の疑似被ばく体験システム１０Ａと同様の各手段を実施することに加え、レーザー距離計３１が測定した離間距離、離間距離の測定日時を個人特定情報（個人特定識別子）に関連付けた状態で大容量記憶領域に格納（記憶）する（距離記憶手段）。
【００９８】
図１４は、プロジェクタ１５（出力装置）から出力（投影）された被ばく状況画像（測定画像）の他の一例を示す図である。図１４では、被ばく模擬エリア１１のデジタル画像の図示を省略している。管理者(解説者)は、体験者Ｍを被ばく模擬エリア１１においてＬＥＤ照明１２（光源）の反対側に立たせ、体験スタート画面（図５参照）のスタートボタン５ａをクリックする。スタートボタン５ａをクリックすると、ＬＥＤ照明１２が点灯し、ＬＥＤ照明１２から被ばく模擬エリア１１に設定された照度の光が照射され、照度計１３が照度の測定を開始するとともに、ｗｅｂカメラ１４が撮影を開始し、レーザー距離計３１が離間距離の測定を開始する。
【００９９】
体験者Ｍは、被ばく模擬エリア１１において既述の第１作業を行う。疑似被ばく体験システム１０Ｂにおける体験者Ｍの第１作業中において、ＬＥＤ照明１２から照射されて体験者Ｍが受ける光の照度が照度計１３によって測定され、測定された照度が照度計１３からパーソナルコンピュータ１６に送信され、体験者ＭとＬＥＤ照明１２（光源）との間の離間距離がレーザー距離計３１によって測定され、測定された離間距離がレーザー距離計３１からパーソナルコンピュータ１６に送信されるとともに、体験者Ｍの作業動作を含む被ばく模擬エリア１１がｗｅｂカメラ１４によって撮影され、撮影された体験者Ｍの作業動作を含む被ばく模擬エリア１１のデジタル画像がｗｅｂカメラ１４からパーソナルコンピュータ１６に送信される。
【０１００】
パーソナルコンピュータ１６は、疑似被ばく体験システム１０Ａの第１作業と同様に、第１作業中に体験者Ｍに放射された放射線の被ばく線量率（ｍＳｖ／ｈ）を算出し（第１算出手段）。第１作業中に体験者Ｍに放射された放射線の被ばく線量（ｍＳｖ）を算出するとともに（第２算出手段）、換算手段や第１算出手段、第２算出手段によって得られた第１作業におけるデータを含む被ばく状況画像を作成する（被ばく状況画像作成手段）。
【０１０１】
パーソナルコンピュータ１６は、疑似被ばく体験システム１０Ａの第１作業と同様に、換算した被ばく量（ｍＳｖ）及び照度の測定日時を大容量記憶領域に格納（記憶）し（被ばく量第１記憶手段）、算出した被ばく線量率（ｍＳｖ／ｈ）、被ばく線量率（ｍＳｖ／ｈ）の算出日時を大容量記憶領域に格納（記憶）するとともに（被ばく線量率記憶手段）、算出した被ばく線量（ｍＳｖ）、被ばく線量（ｍＳｖ）の算出日時を大容量記憶領域に格納（記憶）し（被ばく量第２記憶手段）、作成した被ばく状況画像、被ばく状況画像の作成日時を大容量記憶領域に格納（記憶）する（測定画像記憶手段）。
【０１０２】
パーソナルコンピュータ１６は、体験者Ｍの第１作業中に作成した被ばく状況画像をプロジェクタ１５からスクリーン２６に出力（投影）する。体験者Ｍの第１作業中に作成された被ばく状況画像には、図１４に示すように、体験者の作業動作を含む被ばく模擬エリアのデジタル画像（図示せず）が出力（表示）されるとともに、各種の測定データを表示した測定データ画面が出力（表示）される。被ばく模擬エリア１１のデジタル画像には、ｗｅｂカメラ１４によって撮影されて第２作業中に体験者Ｍの頭部から見た模擬エリア１１の画像が出力（表示）される。
【０１０３】
測定データ画面には、第１作業における被ばく線量（ｍＳｖ）が縦軸に出力（表示）され、作業時間が横軸に出力（表示）されるとともに、縦横軸内に被ばく限度値（ｍＳｖ／日）、被ばく率時間変化、被ばく量時間変化が出力（表示）される。更に、縦軸と平行して第１作業における被ばく線量率（ｍＳｖ／ｈ）が出力（表示）され、横軸と平行して被ばく線量（ｍＳｖ）が出力（表示）されるとともに、レーザー距離計３１によって測定された離間距離が表示され、アラームのＯＮ／ＯＦＦが表示され、作業終了ボタン及びキャンセルボタンが出力（表示）される。なお、パーソナルコンピュータ１６のディスプレイ２８には、プロジェクタ１５からスクリーン２６に出力（投影）された図１４と同様のデジタル画像と測定データ画面とが出力（表示）される。
【０１０４】
パーソナルコンピュータ１６は、被ばく模擬エリア１１における体験者Ｍの第１作業中に体験者Ｍに放射された放射線の被ばく線量（ｍＳｖ）が被ばく限度値を超えかを判断する（被ばく限度判断手段）。パーソナルコンピュータ１６は、体験者Ｍに放射された放射線の被ばく線量（ｍＳｖ）が被ばく限度値を超えたと判断した場合、スピーカー３０に所定のアラーム（放射線の被ばく線量（ｍＳｖ）が被ばく限度値を超えたことを知らせる効果音）又は所定のメッセージ（放射線の被ばく線量（ｍＳｖ）が被ばく限度値を超えたことを知らせるメッセージ）を発音させる。管理者は、スピーカー３０からアラーム又はメッセージが発音された場合、体験者Ｍに第１作業を中止させる。
【０１０５】
体験者Ｍは、疑似被ばく体験システム１０Ａの第１作業と同様に、ＬＥＤ照明１２（放射線源）に近づくことで被ばくのリスクが高くなることを知ることができる他、スピーカー３０から所定のアラーム又は所定のメッセージが発音されることで、第１作業において放射線の被ばく線量（ｍＳｖ）が被ばく限度値を超えたことを知ることができるとともに、被ばく限度値を超えた場合、作業を直ちに中止することを学ぶことができる。第１作業が終了した後、管理者がパーソナルコンピュータ１６のディスプレイ２８において作業終了ボタンをクリックすると、ＬＥＤ照明１２が消灯し、照度計１３が照度測定を停止するとともに、ｗｅｂカメラ１４が撮影を停止し、レーザー距離計３１が停止する。ディスプレイ２８には、図３のホーム画面が出力（表示）される。
【０１０６】
図１５は、プロジェクタ１５（出力装置）から出力（投影）された被ばく状況画像（測定画像）の他の一例を示す図である。図１５では、被ばく模擬エリア１１のデジタル画像の図示を省略している。管理者(解説者)は、第１作業が終了した後、体験者Ｍを被ばく模擬エリア１１においてＬＥＤ照明１２（光源）の反対側に再び立たせ、体験スタート画面（図５参照）のスタートボタン５ａをクリックする。スタートボタン５ａをクリックすると、ＬＥＤ照明１２が点灯し、ＬＥＤ照明１２から被ばく模擬エリア１１に設定された照度の光が照射され、照度計１３が照度の測定を開始するとともに、ｗｅｂカメラ１４が撮影を開始し、レーザー距離計３１が離間距離の測定を開始する。
【０１０７】
体験者Ｍは、被ばく模擬エリア１１において既述の第２作業を行う。疑似被ばく体験システム１０Ｂにおける体験者Ｍの第２作業中において、ＬＥＤ照明１２から照射されて体験者Ｍが受ける光の照度が照度計１３によって測定され、測定された照度が照度計１３からパーソナルコンピュータ１６に送信され、体験者ＭとＬＥＤ照明１２（光源）との間の離間距離がレーザー距離計３１によって測定され、測定された離間距離がレーザー距離計３１からパーソナルコンピュータ１６に送信されるとともに、体験者Ｍの作業動作を含む被ばく模擬エリア１１がｗｅｂカメラ１４によって撮影され、撮影された体験者Ｍの作業動作を含む被ばく模擬エリア１１のデジタル画像がｗｅｂカメラ１４からパーソナルコンピュータ１６に送信される。
【０１０８】
パーソナルコンピュータ１６は、疑似被ばく体験システム１０Ａの第２作業と同様に、第２作業中に体験者Ｍに放射された放射線の被ばく線量率（ｍＳｖ／ｈ）を算出し（第１算出手段）。第２作業中に体験者Ｍに放射された放射線の被ばく線量（ｍＳｖ）を算出するとともに（第２算出手段）、換算手段や第１算出手段、第２算出手段によって得られた第２作業におけるデータを含む被ばく状況画像を作成する（被ばく状況画像作成手段）。
【０１０９】
パーソナルコンピュータ１６は、疑似被ばく体験システム１０Ａの第２作業と同様に、換算した被ばく量（ｍＳｖ）及び照度の測定日時を大容量記憶領域に格納（記憶）し（被ばく量第１記憶手段）、算出した被ばく線量率（ｍＳｖ／ｈ）、被ばく線量率（ｍＳｖ／ｈ）の算出日時を大容量記憶領域に格納（記憶）するとともに（被ばく線量率記憶手段）、算出した被ばく線量（ｍＳｖ）、被ばく線量（ｍＳｖ）の算出日時を大容量記憶領域に格納（記憶）し（被ばく量第２記憶手段）、作成した被ばく状況画像、被ばく状況画像の作成日時を大容量記憶領域に格納（記憶）する（測定画像記憶手段）。
【０１１０】
測定データ画面には、第２作業における被ばく線量（ｍＳｖ）が縦軸に出力（表示）され、作業時間が横軸に出力（表示）されるとともに、縦横軸内に被ばく限度値（ｍＳｖ／日）、被ばく率時間変化、被ばく量時間変化が出力（表示）される。更に、縦軸と平行して第２作業における被ばく線量率（ｍＳｖ／ｈ）が出力（表示）され、横軸と平行して被ばく線量（ｍＳｖ）が出力（表示）されるとともに、レーザー距離計３１によって測定された離間距離が表示され、アラームのＯＮ／ＯＦＦが表示され、作業終了ボタン及びキャンセルボタンが出力（表示）される。なお、パーソナルコンピュータ１６のディスプレイ２８には、プロジェクタ１５からスクリーン２６に出力（投影）された図１５と同様のデジタル画像と測定データ画面とが出力（表示）される。
【０１１１】
パーソナルコンピュータ１６は、被ばく模擬エリア１１における体験者Ｍの第２作業中に体験者Ｍに放射された放射線の被ばく線量（ｍＳｖ）が被ばく限度値を超えかを判断する（被ばく限度判断手段）。パーソナルコンピュータ１６は、体験者Ｍに放射された放射線の被ばく線量（ｍＳｖ）が被ばく限度値を超えたと判断した場合、スピーカー３０に所定のアラーム（放射線の被ばく線量（ｍＳｖ）が被ばく限度値を超えたことを知らせる効果音）又は所定のメッセージ（放射線の被ばく線量（ｍＳｖ）が被ばく限度値を超えたことを知らせるメッセージ）を発音させる。管理者は、スピーカー３０からアラーム又はメッセージが発音された場合、体験者Ｍに第２作業を中止させる。
【０１１２】
体験者Ｍは、疑似被ばく体験システム１０Ａの第２作業と同様に、ＬＥＤ照明１２（放射線源）から離れることで被ばくのリスクが低くなることを知ることができる他、スピーカー３０から所定のアラーム又は所定のメッセージが発音されることで、第２作業において放射線の被ばく線量（ｍＳｖ）が被ばく限度値を超えたことを知ることができるとともに、被ばく限度値を超えた場合、作業を直ちに中止することを学ぶことができる。第２作業が終了した後、管理者がパーソナルコンピュータ１６のディスプレイ２８において作業終了ボタンをクリックすると、ＬＥＤ照明１２が消灯し、照度計１３が照度測定を停止するとともに、ｗｅｂカメラ１４が撮影を停止し、レーザー距離計３１が停止する。ディスプレイ２８には、図３のホーム画面が出力（表示）される。
【０１１３】
図１６は、プロジェクタ１５（出力装置）から出力（投影）された被ばく状況画像（測定画像）の他の一例を示す図である。図１６では、被ばく模擬エリア１１のデジタル画像の図示を省略している。管理者(解説者)は、第２作業が終了した後、体験者Ｍを被ばく模擬エリア１１においてＬＥＤ照明１２（光源）の反対側に再び立たせ、体験スタート画面（図５参照）のスタートボタン５ａをクリックする。スタートボタン５ａをクリックすると、ＬＥＤ照明１２が点灯し、ＬＥＤ照明１２から被ばく模擬エリア１１に設定された照度の光が照射され、照度計１３が照度の測定を開始するとともに、ｗｅｂカメラ１４が撮影を開始し、レーザー距離計３１が離間距離の測定を開始する。
【０１１４】
体験者Ｍは、被ばく模擬エリア１１において既述の第３作業を行う。疑似被ばく体験システム１０Ｂにおける体験者Ｍの第３作業中において、ＬＥＤ照明１２から照射されて体験者Ｍが受ける光の照度が照度１３計によって測定され、測定された照度が照度計１３からパーソナルコンピュータ１６に送信され、体験者ＭとＬＥＤ照明１２（光源）との間の離間距離がレーザー距離計３１によって測定され、測定された離間距離がレーザー距離計３１からパーソナルコンピュータ１６に送信されるとともに、体験者Ｍの作業動作を含む被ばく模擬エリア１１がｗｅｂカメラ１４によって撮影され、撮影された体験者Ｍの作業動作を含む被ばく模擬エリア１１のデジタル画像がｗｅｂカメラ１４からパーソナルコンピュータ１６に送信される。
【０１１５】
パーソナルコンピュータ１６は、疑似被ばく体験システム１０Ａの第３作業と同様に、第３作業中に体験者Ｍに放射された放射線の被ばく線量率（ｍＳｖ／ｈ）を算出し（第１算出手段）。第３作業中に体験者Ｍに放射された放射線の被ばく線量（ｍＳｖ）を算出するとともに（第２算出手段）、換算手段や第１算出手段、第２算出手段によって得られた第３作業におけるデータを含む被ばく状況画像を作成する（被ばく状況画像作成手段）。
【０１１６】
パーソナルコンピュータ１６は、疑似被ばく体験システム１０Ａの第３作業と同様に、換算した被ばく量（ｍＳｖ）及び照度の測定日時を大容量記憶領域に格納（記憶）し（被ばく量第１記憶手段）、算出した被ばく線量率（ｍＳｖ／ｈ）、被ばく線量率（ｍＳｖ／ｈ）の算出日時を大容量記憶領域に格納（記憶）するとともに（被ばく線量率記憶手段）、算出した被ばく線量（ｍＳｖ）、被ばく線量（ｍＳｖ）の算出日時を大容量記憶領域に格納（記憶）し（被ばく量第２記憶手段）、作成した被ばく状況画像、被ばく状況画像の作成日時を大容量記憶領域に格納（記憶）する（測定画像記憶手段）。
【０１１７】
測定データ画面には、第３作業における被ばく線量（ｍＳｖ）が縦軸に出力（表示）され、作業時間が横軸に出力（表示）されるとともに、縦横軸内に被ばく限度値（ｍＳｖ／日）、被ばく率時間変化、被ばく量時間変化が出力（表示）される。更に、縦軸と平行して第３作業における被ばく線量率（ｍＳｖ／ｈ）が出力（表示）され、横軸と平行して被ばく線量（ｍＳｖ）が出力（表示）されるとともに、レーザー距離計３１によって測定された離間距離が表示され、作業終了ボタン及びキャンセルボタンが出力（表示）される。なお、パーソナルコンピュータ１６のディスプレイ２８には、プロジェクタ１５からスクリーン２６に出力（投影）された図１６と同様のデジタル画像と測定データ画面とが出力（表示）される。
【０１１８】
パーソナルコンピュータ１６は、被ばく模擬エリア１１における体験者Ｍの第３作業中に体験者Ｍに放射された放射線の被ばく線量（ｍＳｖ）が被ばく限度値を超えかを判断する（被ばく限度判断手段）。パーソナルコンピュータ１６は、体験者Ｍに放射された放射線の被ばく線量（ｍＳｖ）が被ばく限度値を超えたと判断した場合、スピーカー３０に所定のアラーム（放射線の被ばく線量（ｍＳｖ）が被ばく限度値を超えたことを知らせる効果音）又は所定のメッセージ（放射線の被ばく線量（ｍＳｖ）が被ばく限度値を超えたことを知らせるメッセージ）を発音させる。管理者は、スピーカー３０からアラーム又はメッセージが発音された場合、体験者Ｍに第３作業を中止させる。
【０１１９】
体験者Ｍは、疑似被ばく体験システム１０Ａの第３作業と同様に、ＬＥＤ照明１２（放射線源）から一層遠くへ離れることで被ばくのリスクが更に低くなることを知ることができる他、スピーカー３０から所定のアラーム又は所定のメッセージが発音されることで、第３作業において放射線の被ばく線量（ｍＳｖ）が被ばく限度値を超えたことを知ることができるとともに、被ばく限度値を超えた場合、作業を直ちに中止することを学ぶことができる。第３作業が終了した後、管理者がパーソナルコンピュータ１６のディスプレイ２８において作業終了ボタンをクリックすると、ＬＥＤ照明１２が消灯し、照度計１３が照度測定を停止するとともに、ｗｅｂカメラ１４が撮影を停止し、レーザー距離計３１が停止する。ディスプレイには、図３のホーム画面が出力（表示）される。
【０１２０】
図１７は、プロジェクタ１５（出力装置）から出力（投影）された合成測定データ画面（合成測定画像）の他の一例を示す図である。図１７では、被ばく模擬エリア１１のデジタル画像の図示を省略している。疑似被ばく体験システム１０Ｂは、図１の疑似被ばく体験システム１０Ａと同様に、パーソナルコンピュータ１６が第１〜第３作業における測定データ画面を合成して合成測定データ画面を作成し（合成測定データ画面作成手段）、作成した合成測定データ画面をプロジェクタ１５からスクリーン２６に出力（投影）する。
【０１２１】
合成測定データ画面には、図１７に示すように、第１作業〜第３作業における被ばく線量（ｍＳｖ）が縦軸に出力（表示）され、作業時間が横軸に出力（表示）されるとともに、縦横軸内に被ばく限度値（ｍＳｖ／日）、被ばく率時間変化、被ばく量時間変化が出力（表示）される。更に、縦軸と平行して被ばく線量率（ｍＳｖ／ｈ）が出力（表示）され、横軸と平行して被ばく線量（ｍＳｖ）が出力（表示）されるとともに、レーザー距離計３１によって測定された離間距離が表示され、作業終了ボタン及びキャンセルボタンが出力（表示）される。なお、パーソナルコンピュータ１６のディスプレイ２８には、プロジェクタ１５からスクリーン２６に出力（投影）された図１７と同様の合成測定データ画面とが出力（表示）される。体験者Ｍは、トング１８や中尺マジックハンド１９、長尺マジックハンド２０のそれぞれを使用した場合の被ばく線量（ｍＳｖ）や被ばく線量率（ｍＳｖ／ｈ）、被ばく限度値を超える時間を比較することができる。
【０１２２】
疑似被ばく体験システム１０Ｂは、図１の疑似被ばく体験システム１０Ａが有する効果に加え、以下の効果を有する。疑似被ばく体験システム１０Ｂは、放射線の被ばく線量（ｍＳｖ）が被ばく限度値に達した場合、スピーカー３０（音発生装置）によってアラーム又はメッセージが発音されるから、放射線の被ばく線量（ｍＳｖ）が被ばく限度値に達するまでの大凡の時間を知ることができ、その時間内に実施することが可能な作業内容や作業手順を知ることができるとともに、その時間内に所定の作業を実施することができるように訓練することができる。
【０１２３】
疑似被ばく体験システム１０Ｂは、レーザー距離計３１によって測定された離間距離を出力（表示）することで、離間寸法の相違による被ばく線量率（ｍＳｖ／ｈ）や被ばく線量（ｍＳｖ）の相違を知ることができ、線源から離間することによって各体験者Ｍが被ばくする放射線の被ばく量（ｍＳｖ）を低減させることが可能であることを学ぶことができるとともに、各体験者Ｍが線源から離れることの必要性や重要性を知ることができる。
【０１２４】
なお、疑似被ばく体験システム１０Ｂは、図１の疑似被ばく体験システム１０Ａと同様に、ＬＥＤ照明１２（光源）と体験者Ｍとの間の被ばく模擬エリア１１に半透明のフィルム２４又は半透明の板材２４を介在させ、体験者Ｍに第１作業〜第３作業を行わせることができる。ＬＥＤ照明１２と体験者Ｍとの間の被ばく模擬エリア１１に半透明のフィルム２４又は半透明の板材２４を介在させた場合の合成測定データ画面には、半透明のフィルム２４（遮蔽材）又は半透明の板材２４（遮蔽材）を介在させた状態の第１作業〜第３作業における被ばく線量（ｍＳｖ）が縦軸に出力（表示）され、作業時間が横軸に出力（表示）されるとともに、縦横軸内に被ばく限度値（ｍＳｖ／日）、被ばく率時間変化、被ばく量時間変化が出力（表示）される。更に、縦軸と平行して被ばく線量率（ｍＳｖ／ｈ）が出力（表示）され、横軸と平行して被ばく線量（ｍＳｖ）が出力（表示）されるとともに、作業終了ボタン及びキャンセルボタンが出力（表示）される（図１２参照）。
【０１２５】
第１作業〜第３作業においてＬＥＤ照明１２と体験者Ｍとの間の被ばく模擬エリア１１（作業台１７の作業面）に半透明のフィルム２４又は半透明の板材２４を介在させることで、ＬＥＤ照明１２（放射線源）から照射された光（放射線）が半透明のフィルム２４（遮蔽材）や半透明の板材２４（遮蔽材）を透過することによってその照度（線量）が低下し、それによって体験者Ｍが受ける光（放射線）の照度（線量）が大きく低下することが分かる。
【０１２６】
疑似被ばく体験システム１０Ｂは、半透明のフィルム２４又は半透明の板材２４を使用しないときと使用したときとの被ばく線量率（ｍＳｖ／ｈ）や被ばく線量（ｍＳｖ）の相違を知ることができ、遮蔽材を利用することによって各体験者Ｍが被ばくする放射線の被ばく量（ｍＳｖ）を低減させる遮蔽効果を学ぶことができるとともに、各体験者Ｍが遮蔽材の必要性や重要性を知ることができる。
【符号の説明】
【０１２７】
１０Ａ  疑似被ばく体験システム
１０Ｂ  疑似被ばく体験システム
１１    被ばく模擬エリア
１２    ＬＥＤ照明（光源）
１３    照度計（照度センサ）
１４    ｗｅｂカメラ（カメラ）
１５    プロジェクタ（出力装置）
１６    パーソナルコンピュータ
１７    作業台
１８    トング（治具）
１９    中尺マジックハンド（治具）
２０    長尺マジックハンド（治具）
２１    ブロック
２２    第１トレー
２３    第２トレー
２４    半透明のフィルム又は半透明の板材
２５    ヘルメット
２６    スクリーン
２７    キーボード
２８    ディスプレイ
２９    ネックストラップ
３０    スピーカー（音発生装置）
３１    レーザー距離計（距離計）
【図１】
2020184043.tif 000003
【図２】
2020184043.tif 000004
【図３】
2020184043.tif 000005
【図４】
2020184043.tif 000006
【図５】
2020184043.tif 000007
【図６】
2020184043.tif 000008
【図７】
2020184043.tif 000009
【図８】
2020184043.tif 000010
【図９】
2020184043.tif 000011
【図１０】
2020184043.tif 000012
【図１１】
2020184043.tif 000013
【図１２】
2020184043.tif 000014
【図１３】
2020184043.tif 000015
【図１４】
2020184043.tif 000016
【図１５】
2020184043.tif 000017
【図１６】
2020184043.tif 000018
【図１７】
2020184043.tif 000019